(57)【要約】  第1のサブスクリプションと第2のサブスクリプションとを有するワイヤレス通信デバイスが、少なくとも1つの無線周波数(RF)リソースを使用して第1のサブスクリプションに関連付けられた基地局から第1のサブスクリプションに関連付けられたアップリンク許可を要求するための装置および方法について、本明細書で説明する。実施形態は、限定はしないが、少なくとも1つのRFリソースが、第2のサブスクリプションに関連付けられるように構成される離調時間間隔の長さを決定することと、しきい値を超過する離調時間間隔の長さに応答して、スロットリングされた時間間隔のために離調時間間隔が終了した後、第1のサブスクリプションに関連付けられた少なくとも1つのスケジューリング要求を送信することと、しきい値を超過しない離調時間間隔の長さに応答して、デフォルト時間間隔のために離調時間間隔が終了した後、第1のサブスクリプションに関連付けられた少なくとも1つのスケジューリング要求を送信することとを含む。スロットリングされた時間間隔の長さは、デフォルト時間間隔の長さよりも短い。
2019506787.tif 000002
【特許請求の範囲】
【請求項１】
第1のサブスクリプションと第2のサブスクリプションとを有するワイヤレス通信デバイスが、前記第1のサブスクリプションに関連付けられたアップリンク許可を要求するための方法であって、
離調時間間隔の間に前記第1のサブスクリプションから前記第2のサブスクリプションに離調するステップと、
前記離調時間間隔がしきい値を超過するかどうかを判定するステップと、
前記離調時間間隔が前記しきい値を超過したことに応答して、スロットリングされたカウントのための前記第1のサブスクリプションに関連付けられた少なくとも1つのスケジューリング要求を送信するステップであって、前記スロットリングされたカウントがデフォルトカウント未満である、ステップと、
前記スロットリングされたカウント内で送信された前記少なくとも1つのスケジューリング要求のいずれかに応答して、アップリンク許可が受信されたかどうかを判定するステップと、
前記アップリンク許可を受信しなかったことに応答して、アップリンクデータランダムアクセスチャネル(RACH)プロセスを開始するステップと
を含む、方法。
【請求項２】
前記離調時間間隔が前記しきい値を超過しなかったことに応答して、前記デフォルトカウントのための前記第1のサブスクリプションに関連付けられた少なくとも1つのスケジューリング要求を送信するステップをさらに含む、請求項1に記載の方法。
【請求項３】
スロットリングされた時間間隔内で前記スロットリングされたカウントのために前記少なくとも1つのスケジューリング要求が送信され、
デフォルト時間間隔内で前記デフォルトカウントのために前記少なくとも1つのスケジューリング要求が送信され、
前記デフォルト時間間隔の長さが、前記スロットリングされた時間間隔の長さよりも長い、
請求項2に記載の方法。
【請求項４】
前記デフォルト時間間隔の前記長さが、前記離調時間間隔の長さ、前記第1のサブスクリプションに関連付けられた第1の分類、または前記第2のサブスクリプションに関連付けられた第2の分類のうちの1つまたは複数に基づいて決定され、
前記しきい値が、前記第1の分類または前記第2の分類のうちの1つまたは複数に基づいて決定される、
請求項3に記載の方法。
【請求項５】
無線リソース制御(RRC)接続セットアッププロセス中に基地局から前記デフォルトカウントを受信するステップをさらに含む、請求項1に記載の方法。
【請求項６】
前記スロットリングされたカウント内の前記少なくとも1つのスケジューリング要求のすべてが送信されたことと、前記少なくとも1つのスケジューリング要求に対応するアップリンク許可が受信されなかったとの決定とに応答して、前記アップリンクデータRACHプロセスが開始される、請求項1に記載の方法。
【請求項７】
前記スロットリングされたカウント内で送信された前記少なくとも1つのスケジューリング要求のうちの1つまたは複数に応答して少なくとも1つのアップリンク許可が受信されたことに応答して、最大カウントまで前記少なくとも1つのスケジューリング要求を送信するステップをさらに含む、請求項1に記載の方法。
【請求項８】
前記離調時間間隔の長さに少なくとも部分的に基づいて前記スロットリングされたカウントを決定するステップをさらに含む、請求項1に記載の方法。
【請求項９】
前記スロットリングされたカウントが前記離調時間間隔の前記長さに反比例する、請求項8に記載の方法。
【請求項１０】
前記第1のサブスクリプションに関連付けられた第1の分類、または前記第2のサブスクリプションに関連付けられた第2の分類のうちの少なくとも1つに少なくとも部分的に基づいて前記スロットリングされたカウントを決定するステップをさらに含む、請求項1に記載の方法。
【請求項１１】
ワイヤレス通信デバイスであって、
少なくとも1つの無線周波数(RF)リソースと、
前記少なくとも1つのRFリソースに結合されるとともに、第1のサブスクリプションに関連付けられた第1の加入者識別モジュール(SIM)に、かつ第2のサブスクリプションに関連付けられた第2のSIMに接続するように構成され、かつプロセッサ実行可能命令で構成されるプロセッサであって、前記プロセッサ実行可能命令が、
前記少なくとも1つのRFリソースを離調時間間隔の間に前記第1のサブスクリプションから前記第2のサブスクリプションに離調することと、
前記離調時間間隔がしきい値を超過するかどうかを判定することと、
前記離調時間間隔が前記しきい値を超過したことに応答して、前記少なくとも1つのRFリソースを介してスロットリングされたカウントのための前記第1のサブスクリプションに関連付けられた少なくとも1つのスケジューリング要求を送信することであって、前記スロットリングされたカウントがデフォルトカウント未満である、送信することと、
前記スロットリングされたカウント内で送信された前記少なくとも1つのスケジューリング要求のいずれかに応答して、アップリンク許可が受信されたかどうかを判定することと、
前記アップリンク許可を受信しなかったことに応答して、アップリンクデータランダムアクセスチャネル(RACH)プロセスを開始することと
を行うためのものである、プロセッサと
を備える、ワイヤレス通信デバイス。
【請求項１２】
前記プロセッサが、前記離調時間間隔が前記しきい値を超過しなかったことに応答して、前記デフォルトカウントのために前記少なくとも1つのRFリソースを介して前記第1のサブスクリプションに関連付けられた少なくとも1つのスケジューリング要求を送信するようにさらに構成される、請求項11に記載のワイヤレス通信デバイス。
【請求項１３】
スロットリングされた時間間隔内で前記スロットリングされたカウントのために前記少なくとも1つのRFリソースを介して前記少なくとも1つのスケジューリング要求が送信され、
デフォルト時間間隔内で前記デフォルトカウントのために前記少なくとも1つのRFリソースを介して前記少なくとも1つのスケジューリング要求が送信され、
前記デフォルト時間間隔の長さが、前記スロットリングされた時間間隔の長さよりも長い、請求項12に記載のワイヤレス通信デバイス。
【請求項１４】
前記プロセッサが、
前記離調時間間隔の長さ、前記第1のサブスクリプションに関連付けられた第1の分類、または前記第2のサブスクリプションに関連付けられた第2の分類のうちの1つまたは複数に基づいて前記デフォルト時間間隔の前記長さを決定することと、
前記第1の分類または前記第2の分類のうちの1つまたは複数に基づいて前記しきい値を決定することと
を行うようにさらに構成される、請求項13に記載のワイヤレス通信デバイス。
【請求項１５】
前記プロセッサが、前記少なくとも1つのRFリソースを介して無線リソース制御(RRC)接続セットアッププロセス中に基地局から前記デフォルトカウントを受信するようにさらに構成される、請求項11に記載のワイヤレス通信デバイス。
【請求項１６】
前記プロセッサが、前記スロットリングされたカウント内の前記少なくとも1つのスケジューリング要求のすべてが送信されたことと、前記少なくとも1つのスケジューリング要求に対応するアップリンク許可が受信されなかったとの決定とに応答して、前記アップリンクデータRACHプロセスを開始するようにさらに構成される、請求項11に記載のワイヤレス通信デバイス。
【請求項１７】
前記プロセッサが、前記スロットリングされたカウント内で送信された前記少なくとも1つのスケジューリング要求のうちの1つまたは複数に応答して少なくとも1つのアップリンク許可が受信されたことに応答して、最大カウントまで前記少なくとも1つのスケジューリング要求を送信するようにさらに構成される、請求項11に記載のワイヤレス通信デバイス。
【請求項１８】
前記プロセッサが、前記離調時間間隔の長さに少なくとも部分的に基づいて前記スロットリングされたカウントを決定するようにさらに構成される、請求項11に記載のワイヤレス通信デバイス。
【請求項１９】
前記スロットリングされたカウントが前記離調時間間隔の前記長さに反比例する、請求項18に記載のワイヤレス通信デバイス。
【請求項２０】
前記プロセッサが、前記第1のサブスクリプションに関連付けられた第1の分類、または前記第2のサブスクリプションに関連付けられた第2の分類のうちの少なくとも1つに少なくとも部分的に基づいて前記スロットリングされたカウントを決定するようにさらに構成される、請求項12に記載のワイヤレス通信デバイス。
【請求項２１】
第1のサブスクリプションと第2のサブスクリプションとを有するワイヤレス通信デバイスが、少なくとも1つの無線周波数(RF)リソースを使用して前記第1のサブスクリプションに関連付けられたアップリンク許可を要求するための方法であって、
前記少なくとも1つのRFリソースが、前記第1のサブスクリプションから前記第2のサブスクリプションに離調される離調時間間隔がしきい値を超過するかどうかを判定するステップと、
前記離調時間間隔が前記しきい値を超過したことに応答して、スロットリングされたカウントまでのための前記第1のサブスクリプションに関連付けられた少なくとも1つのスケジューリング要求を送信するステップと、
前記スロットリングされたカウント内で送信された前記少なくとも1つのスケジューリング要求のいずれかに応答して、アップリンク許可が受信されたかどうかを判定するステップと、
前記スロットリングされたカウント内で送信された前記少なくとも1つのスケジューリング要求のいずれかに応答してアップリンク許可を受信しなかったことに応答して、前記第1のサブスクリプションのためのアップリンクデータランダムアクセスチャネル(RACH)プロセスを開始するステップと、
前記スロットリングされたカウント内で送信された前記少なくとも1つのスケジューリング要求のいずれかに応答して少なくとも1つのアップリンク許可が受信されたことに応答して、前記スロットリングされたカウントに加えて少なくとも1つの追加のスケジューリング要求を送信するステップと
を含む、方法。
【請求項２２】
前記少なくとも1つの追加のスケジューリング要求の数と前記スロットリングされたカウントとの和が、デフォルトカウントを超過しない、請求項21に記載の方法。
【請求項２３】
無線リソース制御(RRC)接続セットアッププロセス中に前記第1のサブスクリプションに関連付けられた基地局から前記デフォルトカウントが受信される、請求項22に記載の方法。
【請求項２４】
前記離調時間間隔が前記しきい値を超過しなかったことに応答して、前記デフォルトカウントまでのための前記第1のサブスクリプションに関連付けられた少なくとも1つのスケジューリング要求を送信するステップをさらに含む、請求項22に記載の方法。
【請求項２５】
前記スロットリングされたカウントが前記離調時間間隔の長さに基づいて決定される、請求項21に記載の方法。
【請求項２６】
第1のサブスクリプションと第2のサブスクリプションとを有するワイヤレス通信デバイスが、少なくとも1つの無線周波数(RF)リソースを使用して前記第1のサブスクリプションに関連付けられた基地局から前記第1のサブスクリプションに関連付けられたアップリンク許可を要求するための方法であって、
前記少なくとも1つのRFリソースが、前記第2のサブスクリプションに関連付けられるように構成される離調時間間隔の長さを決定するステップと、
前記離調時間間隔の前記長さがしきい値を超過するかどうかを判定するステップと、
前記しきい値を超過する前記離調時間間隔の前記長さに応答して、スロットリングされた時間間隔のために前記離調時間間隔が終了した後、前記第1のサブスクリプションに関連付けられた少なくとも1つのスケジューリング要求を送信するステップと、
前記しきい値を超過しない前記離調時間間隔の前記長さに応答して、デフォルト時間間隔のために前記離調時間間隔が終了した後、前記第1のサブスクリプションに関連付けられた少なくとも1つのスケジューリング要求を送信するステップと
を含み、
前記スロットリングされた時間間隔の長さが、前記デフォルト時間間隔の長さよりも短い、方法。
【請求項２７】
前記スロットリングされた時間間隔が、前記離調時間間隔に基づいて決定される、請求項26に記載の方法。
【請求項２８】
前記デフォルト時間間隔が、無線リソース制御(RRC)接続セットアッププロセス中に前記基地局から受信されたデフォルトカウントに対応する、請求項26に記載の方法。
【請求項２９】
前記スロットリングされた時間間隔内で送信された前記少なくとも1つのスケジューリング要求のいずれかに応答して少なくとも1つのアップリンク許可が受信されたことに応答して、前記スロットリングされた時間間隔後、少なくとも1つの追加のスケジューリング要求を送信するステップをさらに含む、請求項26に記載の方法。
【発明の詳細な説明】
【技術分野】
【０００１】
本発明は、マルチ加入者識別モジュール(SIM)ワイヤレス通信デバイスのためのスケジューリング要求スロットリングに関する。
【背景技術】
【０００２】
モバイルフォンデバイスまたはスマートフォンなどのワイヤレス通信デバイスは、少なくとも1つの加入者識別モジュール(SIM)を含んでもよい。各SIMは、1つまたは複数のサブスクリプションを可能にしてもよい。各サブスクリプションは、無線アクセス技術(RAT)に対応してもよい。具体的には、マルチSIMワイヤレス通信デバイスに関して、すべてのSIMがアクティブであるとき、ワイヤレス通信デバイスは、マルチSIMマルチアクティブ(MSMA)デバイスであってもよい。一方、1つのSIMがアクティブであると同時に残りのSIMがスタンバイ中であるとき、ワイヤレス通信デバイスは、マルチSIMマルチスタンバイ(MSMS)デバイスであってもよい。RATには、限定はしないが、周波数分割多元接続(FDMA)、時分割多元接続(TDMA)、モバイル通信用グローバルシステム(GSM(登録商標))、符号分割多元接続(CDMA)、(特に、エボリューションデータオプティマイズド(EVDO))、ユニバーサルモバイルテレコミュニケーションズシステム(UMTS)(特に、広帯域符号分割多元接続(WCDMA(登録商標))、ロングタームエボリューション(LTE)、単一無線LTE(SRLTE)、同時GSM(登録商標)およびLTE(SGLTE:Simultaneous GSM(登録商標) and LTE)、高速ダウンリンクパケットアクセス(HSDPA)など)、符号分割多元接続1x無線送信技術(1x)、汎用パケット無線サービス(GPRS)、Wi-Fi、パーソナル通信サービス(PCS)、およびワイヤレス通信ネットワークまたはデータ通信ネットワーク内で使用されてもよい他のプロトコルが含まれてもよい。
【０００３】
マルチSIMワイヤレス通信デバイスは、(たとえば、MSMSデバイスにおいて)一方のサブスクリプションがアクティブに通信中であるとき、他方のサブスクリプションがスタンバイであるように無線周波数(RF)リソースの単一のセットを共有する、2つ以上のサブスクリプションを可能にしてもよい。特定のシナリオでは、そのようなワイヤレス通信デバイスが、第2のサブスクリプションへの長い離調を実行中であり、かつスタンバイしている第1のサブスクリプションをスケジュールするとき、ワイヤレス通信デバイスは、第1のサブスクリプションに関連付けられた基地局からの無線リソース制御(RRC)メッセージを失う可能性があり、基地局とのRRC不一致(切断)を引き起こす場合がある。一般に、より長い離調ほどそのような不一致/切断の見込みが高くなる場合がある。しかしながら、典型的なワイヤレス通信デバイスは、依然として基地局に接続されていると仮定する場合がある。これは、ワイヤレス通信デバイスが第2のサブスクリプションに離調されるとき、ワイヤレス通信デバイスは、基地局によって送られたRRC解放メッセージを逸した(正常な受信に失敗した)場合があり、したがって、第1のサブスクリプションを介して通信を受信することができない場合があるからである。一方、基地局がRRC解放メッセージをすでに送った(が、ワイヤレス通信デバイスが正常に受信しなかった)とすれば、基地局は、ワイヤレス通信デバイスがアイドルであると指定する。
【０００４】
スケジューリング要求(SR)は、第2のサブスクリプションへの離調が終了した後、ワイヤレス通信デバイスによって基地局に送信され、第1のサブスクリプションのためのアップリンク許可を要求してもよい。ワイヤレス通信デバイスは、基地局によって可能にされたアップリンク許可に対応するデータパケットを送信してもよい。ワイヤレス通信デバイスは、長い離調後でも、デフォルトカウント(たとえば、64)のスケジューリング要求を基地局に送ってもよい。しかしながら、基地局は、ワイヤレス通信デバイスを識別するセル無線ネットワーク一時識別子(C-RNTI)を認識しなくなり、ワイヤレス通信デバイスが、RRC不一致のためにアイドルである(接続されていない)と見なされる場合、スケジューリング要求のいずれかに応答して、いかなるアップリンク許可も提供しないようになる。しかしながら、電力および時間は、スケジューリング要求禁止タイマーを監視するためにおよびデフォルトカウントのためのスケジューリング要求を送信するために依然として消費される場合がある。
【発明の概要】
【課題を解決するための手段】
【０００５】
本明細書で説明する実施形態は、そのRFリソースが以前に第2のサブスクリプションに離調されているワイヤレス通信デバイスによって、第1のサブスクリプションのためのアップリンク許可を効率的に要求するための装置および方法に関する。本明細書で説明する実施形態は、他の場合に、第1のサブスクリプションに関連付けられた基地局との接続性が失われる可能性がある長い離調に続いて、全デフォルトカウントのスケジューリング要求を送信する際に費やされる電力および時間を節約する。実施形態は、追加のハードウェアコストおよびネットワーク違反なしに実装することができる。
【０００６】
本明細書でより詳細に説明する実施形態は、データのストールを回避するために長い離調ギャップ後にスケジューリング要求を送信するために、最大カウントをインテリジェントおよび選択的にスロットリングすることを伴う。詳細には、最大カウントは、離調時間間隔の長さが増加するにつれて減少する、スロットリングされたカウントに対応してもよい。
【０００７】
いくつかの実施形態では、第1のサブスクリプションと第2のサブスクリプションとを有するワイヤレス通信デバイスが、第1のサブスクリプションに関連付けられたアップリンク許可を要求するための方法について説明し、本方法は、離調時間間隔の間に第1のサブスクリプションから第2のサブスクリプションに離調するステップと、離調時間間隔がしきい値を超過するかどうかを判定するステップと、離調時間間隔がしきい値を超過したことに応答して、スロットリングされたカウントのための第1のサブスクリプションに関連付けられた少なくとも1つのスケジューリング要求を送信するステップであって、スロットリングされたカウントがデフォルトカウント未満である、ステップと、スロットリングされたカウント内で送信された少なくとも1つのスケジューリング要求のいずれかに応答して、アップリンク許可が受信されたかどうかを判定するステップと、アップリンク許可を受信しなかったことに応答して、アップリンクデータランダムアクセスチャネル(RACH)プロセスを開始するステップとを含む。
【０００８】
いくつかの実施形態では、本方法は、離調時間間隔がしきい値を超過しなかったことに応答して、デフォルトカウントのための第1のサブスクリプションに関連付けられた少なくとも1つのスケジューリング要求を送信するステップをさらに含む。
【０００９】
様々な実施形態によれば、スロットリングされた時間間隔内でスロットリングされたカウントのために少なくとも1つのスケジューリング要求が送信される。デフォルト時間間隔内でデフォルトカウントのために少なくとも1つのスケジューリング要求が送信される。デフォルト時間間隔の長さは、スロットリングされた時間間隔の長さよりも長い。
【００１０】
いくつかの実施形態では、デフォルト時間間隔の長さが、離調時間間隔の長さ、第1のサブスクリプションに関連付けられた第1の分類、または第2のサブスクリプションに関連付けられた第2の分類のうちの1つまたは複数に基づいて決定される。しきい値は、第1の分類または第2の分類のうちの1つまたは複数に基づいて決定される。いくつかの実施形態では、本方法は、無線リソース制御(RRC)接続セットアッププロセス中に基地局からデフォルトカウントを受信するステップをさらに含む。
【００１１】
様々な実施形態では、スロットリングされたカウント内の少なくとも1つのスケジューリング要求のすべてが送信されたことと、少なくとも1つのスケジューリング要求に対応するアップリンク許可が受信されなかったとの決定とに応答して、アップリンクデータRACHプロセスが開始される。
【００１２】
いくつかの実施形態では、本方法は、スロットリングされたカウント内で送信された少なくとも1つのスケジューリング要求のうちの1つまたは複数に応答して少なくとも1つアップリンク許可が受信されることに応答して、最大カウントまで少なくとも1つのスケジューリング要求を送信するステップをさらに含む。
【００１３】
いくつかの実施形態では、本方法は、離調時間間隔の長さに少なくとも部分的に基づいてスロットリングされたカウントを決定するステップをさらに含む。
【００１４】
いくつかの実施形態によれば、スロットリングされたカウントは、離調時間間隔の長さに反比例する。
【００１５】
いくつかの実施形態では、本方法は、第1のサブスクリプションに関連付けられた第1の分類、または第2のサブスクリプションに関連付けられた第2の分類のうちの少なくとも1つに少なくとも部分的に基づいてスロットリングされたカウントを決定するステップをさらに含む。
【００１６】
いくつかの実施形態によれば、ワイヤレス通信デバイスは、少なくとも1つの無線周波数(RF)リソースと、少なくとも1つのRFリソースに結合され、第1のサブスクリプションに関連付けられた第1の加入者識別モジュール(SIM)に、および第2のサブスクリプションに関連付けられた第2のSIMに接続するように構成され、プロセッサ実行可能命令で構成されるプロセッサであって、プロセッサ実行可能命令が、少なくとも1つのRFリソースを離調時間間隔の間に第1のサブスクリプションから第2のサブスクリプションに離調することと、離調時間間隔がしきい値を超過するかどうかを判定することと、離調時間間隔がしきい値を超過したことに応答して、少なくとも1つのRFリソースを介してスロットリングされたカウントのための第1のサブスクリプションに関連付けられた少なくとも1つのスケジューリング要求を送信することであって、スロットリングされたカウントがデフォルトカウント未満である、送信することと、スロットリングされたカウント内で送信された少なくとも1つのスケジューリング要求のいずれかに応答して、アップリンク許可が受信されたかどうかを判定することと、アップリンク許可を受信しなかったことに応答して、アップリンクデータランダムアクセスチャネル(RACH)プロセスを開始することとを行うためのものである、プロセッサとを含む。
【００１７】
いくつかの実施形態では、プロセッサは、離調時間間隔がしきい値を超過しなかったことに応答して、デフォルトカウントのために少なくとも1つのRFリソースを介して第1のサブスクリプションに関連付けられた少なくとも1つのスケジューリング要求を送信するようにさらに構成される。
【００１８】
様々な実施形態によれば、スロットリングされた時間間隔内でスロットリングされたカウントのために少なくとも1つのRFリソースを介して少なくとも1つのスケジューリング要求が送信される。デフォルト時間間隔内でデフォルトカウントのために少なくとも1つのRFリソースを介して少なくとも1つのスケジューリング要求が送信される。デフォルト時間間隔の長さは、スロットリングされた時間間隔の長さよりも長い。
【００１９】
いくつかの実施形態では、プロセッサは、離調時間間隔の長さ、第1のサブスクリプションに関連付けられた第1の分類、または第2のサブスクリプションに関連付けられた第2の分類のうちの1つまたは複数に基づいてデフォルト時間間隔の長さを決定することと、第1の分類または第2の分類のうちの1つまたは複数に基づいてしきい値を決定することとを行うようにさらに構成される。
【００２０】
いくつかの実施形態によれば、プロセッサは、少なくとも1つのRFリソースを介してRRC接続セットアッププロセス中に基地局からデフォルトカウントを受信するようにさらに構成される。
【００２１】
いくつかの実施形態では、プロセッサは、スロットリングされたカウント内の少なくとも1つのスケジューリング要求のすべてが送信されたことと、少なくとも1つのスケジューリング要求に対応するアップリンク許可が受信されなかったとの決定とに応答して、アップリンクデータRACHプロセスを開始するようにさらに構成される。
【００２２】
いくつかの実施形態では、プロセッサは、スロットリングされたカウント内で送信された少なくとも1つのスケジューリング要求のうちの1つまたは複数に応答して少なくとも1つのアップリンク許可が受信されることに応答して、最大カウントまで少なくとも1つのスケジューリング要求を送信するようにさらに構成される。
【００２３】
いくつかの実施形態によれば、プロセッサは、離調時間間隔の長さに少なくとも部分的に基づいてスロットリングされたカウントを決定するようにさらに構成される。
【００２４】
いくつかの実施形態では、スロットリングされたカウントは、離調時間間隔の長さに反比例する。
【００２５】
様々な実施形態によれば、プロセッサは、第1のサブスクリプションに関連付けられた第1の分類、または第2のサブスクリプションに関連付けられた第2の分類のうちの少なくとも1つに少なくとも部分的に基づいてスロットリングされたカウントを決定するようにさらに構成される。
【００２６】
様々な実施形態では、第1のサブスクリプションと第2のサブスクリプションとを有するワイヤレス通信デバイスが、少なくとも1つのRFリソースを使用して第1のサブスクリプションに関連付けられたアップリンク許可を要求するための方法について説明し、本方法は、少なくとも1つのRFリソースが、第1のサブスクリプションから第2のサブスクリプションに離調される離調時間間隔がしきい値を超過するかどうかを判定するステップと、離調時間間隔がしきい値を超過したことに応答して、スロットリングされたカウントまでのための第1のサブスクリプションに関連付けられた少なくとも1つのスケジューリング要求を送信するステップと、スロットリングされたカウント内で送信された少なくとも1つのスケジューリング要求のいずれかに応答して、アップリンク許可が受信されたかどうかを判定することと、アップリンク許可を受信しなかったことに応答して、第1のサブスクリプションのためのアップリンクデータランダムアクセスチャネル(RACH)プロセスを開始するステップと、スロットリングされたカウント内で送信された少なくとも1つのスケジューリング要求のいずれかに応答して少なくとも1つのアップリンク許可が受信されることに応答して、スロットリングされたカウントに加えて少なくとも1つの追加のスケジューリング要求を送信するステップとを含む。
【００２７】
いくつかの実施形態では、少なくとも1つの追加のスケジューリング要求の数と、スロットリングされたカウントとの和は、デフォルトカウントを超過しない。
【００２８】
様々な実施形態では、RRC接続セットアッププロセス中に第1のサブスクリプションに関連付けられた基地局からデフォルトカウントが受信される。
【００２９】
いくつかの実施形態では、本方法は、離調時間間隔がしきい値を超過しなかったことに応答して、デフォルトカウントまでのための第1のサブスクリプションに関連付けられた少なくとも1つのスケジューリング要求を送信するステップをさらに含む。
【００３０】
いくつかの実施形態によれば、スロットリングされたカウントは、離調時間間隔の長さに基づいて決定される。
【００３１】
様々な実施形態では、第1のサブスクリプションと第2のサブスクリプションとを有するワイヤレス通信デバイスが、少なくとも1つのRFリソースを使用して第1のサブスクリプションに関連付けられた基地局から第1のサブスクリプションに関連付けられたアップリンク許可を要求するための方法について説明し、本方法は、少なくとも1つのRFリソースが、第2のサブスクリプションに関連付けられるように構成される離調時間間隔の長さを決定するステップと、離調時間間隔の長さがしきい値を超過するかどうかを判定することと、しきい値を超過する離調時間間隔の長さに応答して、スロットリングされた時間間隔のために離調時間間隔が終了した後、第1のサブスクリプションに関連付けられた少なくとも1つのスケジューリング要求を送信するステップと、しきい値を超過しない離調時間間隔の長さに応答して、デフォルト時間間隔のために離調時間間隔が終了した後、第1のサブスクリプションに関連付けられた少なくとも1つのスケジューリング要求を送信するステップとを含む。いくつかの実施形態では、スロットリングされた時間間隔の長さは、デフォルト時間間隔の長さよりも短い。
【００３２】
いくつかの実施形態では、スロットリングされた時間間隔は、離調時間間隔に基づいて決定される。
【００３３】
いくつかの実施形態によれば、デフォルト時間間隔は、RRC接続セットアッププロセス中に基地局から受信されたデフォルトカウントに対応する。
【００３４】
いくつかの実施形態では、本方法は、スロットリングされた時間間隔内で送信された少なくとも1つのスケジューリング要求のいずれかに応答して少なくとも1つのアップリンク許可が受信されたことに応答して、スロットリングされた時間間隔後、少なくとも1つの追加のスケジューリング要求を送信するステップをさらに含む。
【００３５】
様々な実施形態では、少なくとも1つの追加のスケジューリング要求の数とスロットリングされたカウントとの和が、デフォルト時間間隔に対応するデフォルトカウントを超過しない。
【００３６】
本明細書に組み込まれ、本明細書の一部を構成する添付の図面は、本開示の例示的な実施形態を示し、上記の一般的な説明および下記の発明を実施するための形態とともに、様々な実施形態の特徴について説明するのに役立つ。
【図面の簡単な説明】
【００３７】
【図１】スケジューリング要求スロットリングが様々な実施形態に従って実装されてもよい通信システムの一例を示す概略図である。
【図２】スケジューリング要求スロットリングが様々な実施形態に従って実装されてもよいワイヤレス通信デバイスの一例を示す構成要素ブロック図である。
【図３】様々な実施形態によるスケジューリング要求スロットリング方法の一例を示すプロセスフローチャート図である。
【図４】スケジューリング要求スロットリング方法が、様々な実施形態に従って実装されるときの経時的な無線周波数(RF)リソースのアクティビティの一例を示す概略図である。
【図５】様々な実施形態によるスケジューリング要求スロットリング方法の一例を示すプロセスフローチャート図である。
【図６Ａ】様々な実施形態によるスケジューリング要求スロットリング方法の一例を示すプロセスフローチャート図である。
【図６Ｂ】様々な実施形態によるスケジューリング要求スロットリング方法の一例を示すプロセスフローチャート図である。
【図７】スケジューリング要求スロットリングの様々な実施形態とともに使用するのに好適なワイヤレス通信デバイスの構成要素ブロック図である。
【発明を実施するための形態】
【００３８】
添付の図面を参照して、様々な実施形態について詳細に説明する。可能なときには必ず、図面全体を通じて、同一のまたは同様の部分を指すために同一の参照番号が使用されてもよい。異なる参照番号は、異なる、同一の、または同様の部分を指すために使用されてもよい。特定の例および実装形態に対して行われる言及は、説明を目的とし、本開示の範囲または特許請求の範囲を限定するものではない。
【００３９】
本明細書ではワイヤレス通信デバイス、ユーザ機器、または移動局と呼ばれるいくつかの現代の通信デバイスは、セルラー電話、スマートフォン、パーソナルまたはモバイルマルチメディアプレーヤ、携帯情報端末、ラップトップコンピュータ、パーソナルコンピュータ、タブレットコンピュータ、スマートブック、パームトップコンピュータ、ワイヤレス電子メールレシーバ、マルチメディアインターネット対応セルラー電話、ワイヤレスゲームコントローラ、および同様のパーソナル電子デバイスのうちの任意の1つまたは複数あるいはすべてを含んでもよい。そのようなデバイスは、少なくとも1つの加入者識別モジュール(SIM)、プログラマブルプロセッサ、メモリ、および2つ以上のモバイル通信ネットワークに接続するための回路を含んでもよい。
【００４０】
ワイヤレス通信デバイスは、1つまたは複数のモバイル通信ネットワークへのアクセスをワイヤレス通信デバイスのユーザに提供する、1つまたは複数のSIMを含んでもよい。モバイル通信ネットワークは、無線アクセス技術(RAT)によってサポートされる。ワイヤレス通信デバイスの例には、限定はしないが、モバイルフォン、ラップトップコンピュータ、スマートフォン、および1つまたは複数のRATに接続するように構成される他のモバイル通信デバイスなどが含まれてもよい。RATの例には、限定はしないが、周波数分割多元接続(FDMA)、時分割多元接続(TDMA)、モバイル通信用グローバルシステム(GSM(登録商標))、符号分割多元接続(CDMA)(特に、エボリューションデータオプティマイズド(EVDO))、ユニバーサルモバイルテレコミュニケーションズシステム(UMTS)(特に、広帯域符号分割多元接続(WCDMA(登録商標))、ロングタームエボリューション(LTE)、単一無線LTE(SRLTE)、同時GSM(登録商標)およびLTE(SGLTE)、高速ダウンリンクパケットアクセス(HSDPA)など)、符号分割多元接続1x無線送信技術(1x)、汎用パケット無線サービス(GPRS)、Wi-Fi、パーソナル通信サービス(PCS)、およびワイヤレス通信ネットワークまたはデータ通信ネットワーク内で使用されてもよい他のプロトコルが含まれてもよい。各RATは、少なくとも1つのサブスクリプションに関連付けられてもよい。
【００４１】
複数のSIMを備え、所与の時間に1つのサブスクリプションがアクティブである2つ以上のサブスクリプションに接続されるワイヤレス通信デバイスは、マルチSIMマルチスタンバイ(MSMS)デバイスである。一例では、MSMS通信デバイスは、デュアルSIMデュアルスタンバイ(DSDS)通信デバイスであってもよく、DSDS通信デバイスは、スタンバイ時に両方がアクティブであってもよい2つのSIMカード/サブスクリプションを含んでもよいが、他方のSIMカード/サブスクリプションが使用中であるとき、一方のSIMカード/サブスクリプションが非アクティブ化される。別の例では、MSMS通信デバイスは、トリプルSIMトリプルスタンバイ(TSTS)通信デバイスであってもよく、TSTS通信デバイスは、スタンバイ時にすべてがアクティブであってもよい3つのSIMカード/サブスクリプションを含み、第3のSIMカード/サブスクリプションが使用中であるとき、2つのSIMカード/サブスクリプションが非アクティブ化されてもよい。他の例では、MSMS通信デバイスは、たとえば1つのSIMが使用中であるとき、他のSIMが非アクティブ化されてもよいような、4つ以上のSIMを伴う他の好適なマルチSIM通信デバイスであってもよい。
【００４２】
一方、複数のSIMを含み、所与の時間に2つ以上のサブスクリプションがアクティブである2つ以上のサブスクリプションに接続するワイヤレス通信デバイスは、マルチSIMマルチアクティブ(MSMA)デバイスであってもよい。例示的なMSMAデバイスは、2つのSIMカード/サブスクリプションを含むデュアルSIMデュアルアクティブ(DSDA)通信デバイスである。両方のSIM/サブスクリプションは、アクティブのままであってもよい。別の例では、MSMAデバイスは、3つのSIMカード/サブスクリプションを含むトリプルSIMトリプルアクティブ(TSTA)通信デバイスであってもよい。すべての3つのSIM/サブスクリプションは、アクティブのままであってもよい。他の例では、MSMAデバイスは、そのすべてが同時にアクティブであってもよい4つ以上のSIMを伴う他の好適なマルチSIM通信デバイスであってもよい。
【００４３】
概して、本明細書で説明する実施形態は、MSMSワイヤレス通信デバイスに適用可能であってもよく、LTEワイヤレス通信デバイスでは、2つ以上のサブスクリプションの中から1つのサブスクリプションが、所与の時間に同調されるかまたはアクティブであってもよい。詳細には、実施形態は、2つ以上のサブスクリプションが同じ無線周波数(RF)リソースを共有し(RFリソース共有)、離調が、1つずつ、連続的にサブスクリプションとともに通信するために利用されるワイヤレス通信デバイスに関連してもよい。サブスクリプションの組合せの例には、限定はしないが、LTEおよび1x、LTEおよびGSM(登録商標)、SRLTEおよびGSM(登録商標)、SGLTEおよびGSM(登録商標)などが含まれる。
【００４４】
加えて、実施形態は、第1のサブスクリプションおよび第2のサブスクリプションが(MSMAデバイスにおいて)別個のRFリソースを利用するとき、第2のサブスクリプションへの干渉のために第1のサブスクリプションの通信アクティビティを無効にする、ワイヤレス通信デバイスに同様に適用可能であってもよい。そのような場合、第2のサブスクリプションに離調するのではなく、第1のサブスクリプションに関連付けられたRFリソースが、第2のサブスクリプションの通信アクティビティ中に無効またはブランクにされてもよい。したがって、第1のサブスクリプションに関連付けられたRFリソースが無効にされる時間期間(無効時間間隔)は、本明細書で説明するようなMSMSシナリオに関係する離調時間間隔に対応してもよい。
【００４５】
本明細書で使用する、「SIM」、「SIMカード」、および「加入者識別モジュール」という用語は、集積回路であるか、またはリムーバブルカードに組み込まれてもよいメモリであって、ネットワーク上のワイヤレスデバイスを識別および/または認証し、ネットワークとの通信サービスを可能にするために使用される国際モバイル加入者識別情報(IMSI)、関連する鍵、および/または他の情報を記憶するメモリを指すために互換的に使用される。SIM内に記憶された情報は、ワイヤレスデバイスが特定のネットワークとの特定の通信サービスのための通信リンクを確立することを可能にするので、SIMおよび通信ネットワーク、ならびに、そのネットワークによってサポートされるサービス、サブスクリプション、およびRATは、互いに相関するので、「SIM」という用語はまた、本明細書では、特定のSIM内に記憶された(たとえば、様々なパラメータの形態の)情報に関連付けられ、それによって可能にされた通信サービスへの簡略的な言及としても使用されてもよい。
【００４６】
本明細書で説明する実施形態は、ワイヤレス通信デバイスが基地局によってアイドルであると見なされる高い見込みに鑑みて、デフォルトカウントのスケジューリング要求を送信する際に消費される時間および電力を低減するためのスケジューリング要求を送信するための最大カウントのスロットリングに関する。
【００４７】
ワイヤレス通信デバイスは、第2のサブスクリプションへの実際の離調時間間隔に基づいてワイヤレス通信デバイスがアイドルであると見なされる見込みを決定してもよい。言い換えれば、ワイヤレス通信デバイスは、離調時間間隔が、本明細書で説明するようなスケジューリング要求スロットリングを実装することを正当化するために十分長いかどうかを判定してもよい。離調時間間隔がしきい値(たとえば、離調しきい値時間)を超過する場合、スケジューリング要求スロットリングがトリガされてもよい。しきい値の例は、50ms、100ms、150ms、および200msであってもよい。他の実施形態では、しきい値は、別の定義された時間期間であってもよい。他の実施形態では、しきい値は、第1のサブスクリプションおよび第2のサブスクリプションに関連付けられた分類のいずれか一方または両方に基づいてワイヤレス通信デバイスによって動的に決定されてもよい。たとえば、第1のサブスクリプションがLTEであるか、SRLTEであるか、SGLTEであるか、および/または第2のサブスクリプションがGSM(登録商標)であるか、1xであるかに応じて、離調時間間隔のためのしきい値がそれに応じて決定されてもよい。
【００４８】
ワイヤレス通信デバイスは、離調時間間隔がしきい値を超過したことに応答して、スケジューリング要求を送信するための最大カウントをデフォルトカウントからスロットリングされた(低減された)カウントに低減してもよい。いくつかの実施形態では、離調時間間隔が長くなるほど(アイドルであると見なされる見込みがより高いことを示す)、可能にされてもよいより低い最大カウントのスケジューリング要求送信(時間/電力の使用量を最小化するためにより低いスロットリングされたカウント)が生じる。特定の実施形態では、スロットリングされたカウントは離調時間間隔に反比例してもよい。
【００４９】
非限定的な例では、100ms(たとえば、しきい値が100msである)の長さを有する離調時間間隔は、5のスロットリングされたカウントに対応してもよい。別の非限定的な例では、200msの長さを有する離調時間間隔は、3のスロットリングされたカウントに対応してもよい。また別の非限定的な例では、1sの長さを有する離調時間間隔は、1または2のスロットリングされたカウントに対応してもよい。
【００５０】
代替または追加として、離調時間間隔とスロットリングされたカウントとの間の関係(マッピング)は、第1のサブスクリプションおよび第2のサブスクリプションに関連付けられた分類のいずれか一方または両方に基づいてさらに影響を受ける場合がある。すなわち、スロットリングされたカウントの値は、第1のサブスクリプションおよび/または第2のサブスクリプションの分類に対応して変動してもよい。たとえば、第1のサブスクリプションおよび/または第2のサブスクリプションの分類(LTE、SRLTE、SGLTE、GSM(登録商標)、または1xなど)は、特定のスロットリングされたカウント上にマッピングしてもよい。さらなる実施形態では、離調時間間隔の長さと、第1のサブスクリプションおよび/または第2のサブスクリプションの分類との組合せは、特定のスロットリングされたカウント上にマッピングしてもよい。
【００５１】
ワイヤレス通信デバイスが、スロットリングされたカウントの試行内でいかなるアップリンク許可をも受信しなかったことに応答して、ワイヤレス通信デバイスは、基地局がワイヤレス通信デバイスをアイドルではなく(再度)アクティブであると見なすことになるように基地局との通信を(再度)セットアップするためにアップリンクデータランダムアクセスチャネル(RACH)プロセスを続行してもよい。スロットリングされたカウント内でいかなるアップリンク許可をも受信しないことは、ワイヤレス通信デバイスが基地局に依然として接続されている低い信頼レベルを示す場合がある。
【００５２】
一方、ワイヤレス通信デバイスが、スロットリングされたカウント内で基地局から少なくとも1つのアップリンク許可を受信することに応答して、ワイヤレス通信デバイスは、最大カウントをデフォルトカウントに設定してもよい。スロットリングされたカウントに加えて少なくとも1つの追加のスケジューリング要求が、(以前に送信されたスロットリングされたカウントを含む)デフォルトカウントまで送信されてもよい。スロットリングされたカウント内で基地局から少なくとも1つのアップリンク許可を受信することは、長い離調にもかかわらずワイヤレス通信デバイスが基地局に依然として接続されていること、およびアップリンクデータRACHプロセスが接続を再開するために必要ではないことの高い信頼レベルを示す場合がある。
【００５３】
様々な実施形態が、通信システム100内で実装されてもよく、その一例が図1に示される。図1を参照すると、第1のモバイルネットワーク102および第2のモバイルネットワーク104は、各々が複数のセルラー基地局(たとえば、第1の基地局130および第2の基地局140)に関連付けてもよい。第1の基地局130は、第1のサービングセル150内で第1のモバイルネットワーク102をブロードキャストしてもよい。第2の基地局140は、第2のサービングセル160内で第2のモバイルネットワーク104をブロードキャストしてもよい。ワイヤレス通信デバイス110は、第1のサービングセル150と第2のサービングセル160の両方に関連付けられてもよい。
【００５４】
ワイヤレス通信デバイス110は、第1の基地局130への第1のセルラー接続132を通して第1のモバイルネットワーク102と通信中であってもよい。第1のセルラー接続132は、ワイヤレス通信デバイス110の第1のサブスクリプションに対応してもよい。ワイヤレス通信デバイス110はまた、第2の基地局140への第2のセルラー接続142を通して第2のモバイルネットワーク104と通信中であってもよい。第2のセルラー接続142は、マルチSIMの文脈の場合のようにワイヤレス通信デバイス110の第2のサブスクリプションに対応してもよい。第1の基地局130は、ワイヤードまたはワイヤレス接続134を介して第1のモバイルネットワーク102と通信中であってもよい。第2の基地局140は、ワイヤードまたはワイヤレス接続144を介して第2のモバイルネットワーク104と通信中であってもよい。
【００５５】
第1のセルラー接続132および第2のセルラー接続142は、双方向ワイヤレス通信リンクを通して行われてもよい。ワイヤレス通信リンクの各々は、限定はしないが、FDMA、TDMA、CDMA(たとえば、EVDO)、UMTS(たとえば、WCDMA(登録商標)、LTE、SRLTE、SGLTE、HSDPAなど)、GSM(登録商標)、1x、GPRS、Wi-Fi、PCS、および/またはワイヤレス通信ネットワークもしくはデータ通信ネットワーク内で使用される別のプロトコルを含む任意の好適なプロトコルによって可能にされてもよい。非限定的な例による例示として、第1のセルラー接続132は、LTE、SRLTE、またはSGLTE接続/サブスクリプションであってもよい。第2のセルラー接続142は、1xまたはGSM(登録商標)接続/サブスクリプションであってもよい。他のサブスクリプション(限定はしないが、WCDMA(登録商標)、HSDPA、EVDOなど)は、同様の方法で実施されてもよい。
【００５６】
第1の基地局130および第2の基地局140の各々は、同じまたは異なるエリア内に位置する少なくとも1つのアンテナグループまたは送信局を含んでもよい。少なくとも1つのアンテナグループまたは送信局は、信号送信および受信とともにタスクが課されてもよい。第1の基地局130および第2の基地局140の各々は、基地局の機能を実行するための1つまたは複数のプロセッサ、変調器、マルチプレクサ、復調器、デマルチプレクサ、アンテナなどを含んでもよい。いくつかの実施形態では、第1の基地局130および第2の基地局140の各々は、アクセスポイント、ノードB、発展型ノードB(eノードBまたはeNB)、トランシーバ基地局(BTS)などであってもよい。
【００５７】
様々な実施形態では、ワイヤレス通信デバイス110は、ワイヤレス通信デバイス110のマルチSIMおよび/またはマルチモードSIM構成によって(たとえば、第1のセルラー接続132および第2のセルラー接続142を介して)、第1のモバイルネットワーク102および第2のモバイルネットワーク104にアクセスするように構成されてもよい。サブスクリプションに対応するSIMが挿入されるとき、ワイヤレス通信デバイス110は、SIM上に記憶された情報に基づいてそのサブスクリプションまたはRATに関連付けられたモバイル通信ネットワークにアクセスしてもよい。
【００５８】
ワイヤレス通信デバイス110は、2つのセルラー接続を介してモバイルネットワーク102および104に接続されるように示される。他の実施形態(図示せず)では、ワイヤレス通信デバイス110は、少なくとも1つの追加の利用可能なサブスクリプションを使用して追加のネットワーク接続を確立してもよい。
【００５９】
いくつかの実施形態では、ワイヤレス通信デバイス110は、ワイヤレス通信デバイス110に関連して使用される周辺デバイス(図示せず)とのワイヤレス接続を確立してもよい。たとえば、ワイヤレス通信デバイス110は、リンクを介してBluetooth(登録商標)対応パーソナルコンピューティングデバイス(たとえば、「スマートウォッチ」)と通信してもよい。いくつかの実施形態では、ワイヤレス通信デバイス110は、Wi-Fi接続を介するなど、ワイヤレスアクセスポイント(図示せず)とのワイヤレス接続を確立してもよい。ワイヤレスアクセスポイントは、ワイヤード接続を介してインターネットまたは別のネットワークに接続するように構成されてもよい。
【００６０】
図2は、スケジューリング要求スロットリングが様々な実施形態に従って実装されてもよい、ワイヤレス通信デバイス200の一例を示す構成要素ブロック図である。様々な実施形態によれば、ワイヤレス通信デバイス200は、図1を参照しながら説明したようなワイヤレス通信デバイス110の一例であってもよい。図1〜図2を参照すると、ワイヤレス通信デバイス200は、第1のサブスクリプションに関連付けられる第1の識別モジュールSIM-1 204aを受け入れてよい第1のSIMインターフェース202aを含んでもよい。ワイヤレス通信デバイス200はまた、第2のサブスクリプションに関連付けられる第2の識別モジュールSIM-2 204bを受け入れてよい第2のSIMインターフェース202bを含んでもよい。
【００６１】
様々な実施形態におけるSIMは、GSM(登録商標)ネットワークおよび/またはUMTSネットワークへのアクセスを可能にする、SIMアプリケーション、および/またはユニバーサルSIM(USIM)アプリケーションで構成されるユニバーサル集積回路カード(UICC)であってもよい。UICCはまた、電話帳および他のアプリケーション用のストレージを提供してもよい。代替的に、CDMAネットワークでは、SIMは、カード上のUICCリムーバブルユーザ識別モジュール(R-UIM)またはCDMA加入者識別モジュール(CSIM)であってもよい。SIMカードは、中央処理ユニット(CPU)、読取り専用メモリ(ROM)、ランダムアクセスメモリ(RAM)、電気的消去可能プログラマブル読取り専用メモリ(EEPROM)、および入出力(I/O)回路を有してもよい。集積回路カード識別(ICCID)SIMシリアル番号が、識別のためにSIMカード上に印刷されてもよい。しかしながら、SIMは、ワイヤレス通信デバイス200のメモリの一部分内に実装されてもよく、したがって、別個のまたは取り外し可能な回路、チップ、またはカードである必要がないことがある。
【００６２】
様々な実施形態で使用されるSIMは、ユーザアカウント情報、IMSI、SIMアプリケーションツールキット(SAT)コマンドのセット、および他のネットワークプロビジョニング情報を記憶し、ならびに、ユーザの連絡先の電話帳データベース用の記憶空間を提供してもよい。ネットワークプロビジョニング情報の一部として、SIMは、SIMカードネットワークオペレータプロバイダを示すためのホーム識別子(たとえば、システム識別番号(SID)/ネットワーク識別番号(NID)のペア、ホームPLMN(HPLMN)コードなど)を記憶してもよい。
【００６３】
ワイヤレス通信デバイス200は、プロセッサ206などの少なくとも1つのコントローラを含んでもよく、プロセッサ206は、コーダ/デコーダ(コーデック)208に結合されてもよい。コーデック208はさらに、スピーカー210およびマイクロフォン212に結合されてもよい。プロセッサ206は、少なくとも1つのメモリ214にも結合されてもよい。プロセッサ206は、マイクロプロセッサなど、任意の好適なデータ処理デバイスを含んでもよい。代替として、プロセッサ206は、任意の好適な電子プロセッサ、コントローラ、マイクロコントローラ、またはステートマシンであってもよい。プロセッサ206はまた、コンピューティングデバイスの組合せ(たとえば、デジタル信号プロセッサ(DSP)とマイクロプロセッサの組合せ、複数のマイクロプロセッサ、DSPコアと連携する少なくとも1つのマイクロプロセッサ、または任意の他のそのような構成)として実装されてもよい。
【００６４】
メモリ214は、プロセッサ206によって実行可能なプロセッサ実行可能命令を記憶する、非一時的プロセッサ可読記憶媒体であってもよい。たとえば、これらの命令は、(RFリソース218を含む)対応するベースバンドRFリソースチェーンを通して第1のサブスクリプションまたは第2のサブスクリプションに関する通信データを経路指定することを含んでもよい。メモリ214は、ソフトウェアおよびデータを記憶するための任意の好適な内部または外部デバイスを含んでもよい。メモリ214の例には、限定はしないが、RAM、ROM、フロッピー(登録商標)ディスク、ハードディスク、ドングル、または他のリコンプセンサーボード(RSB:Recomp Sensor Board)接続メモリデバイスなどが含まれてもよい。メモリ214は、オペレーティングシステム(OS)、ユーザアプリケーションソフトウェア、および/または実行可能命令を記憶してもよい。メモリ214はまた、アレイデータ構造などのアプリケーションデータを記憶してもよい。
【００６５】
プロセッサ206およびメモリ214は、各々、ベースバンドモデムプロセッサ216に結合されてもよい。ワイヤレス通信デバイス200内のSIM(たとえば、SIM-1 204aおよび/またはSIM-2 204b)は、少なくとも1つのベースバンドRFリソースチェーンに関連付けられてもよい。ベースバンドRFリソースチェーンは、少なくとも1つのSIM上で通信するためのベースバンド/モデム機能を実行してもよいベースバンドモデムプロセッサ216を含んでもよい。ベースバンドモデムプロセッサ216は、本明細書で概してRFリソース218またはRFチェーンと呼ばれる1つまたは複数の増幅器および無線を含んでもよい。
【００６６】
本明細書で説明する実施形態は、第1のサブスクリプションおよび第2のサブスクリプションがRFリソース(特に、RFリソース218)を共有する、ワイヤレス通信デバイスに適用可能であってもよい。本明細書で説明する実施形態はまた、第1のサブスクリプションおよび第2のサブスクリプションが、各々別個のRFリソースを有するが、第2のサブスクリプションのアクティビティが、それにもかかわらず第1のサブスクリプションをデセンス(たとえば、干渉)して、第2のサブスクリプションが通信中であるときに第1のサブスクリプションが送信または受信することを防止するブランキングまたは電力バックオフを相殺するようにしてもよいワイヤレス通信デバイスにも適用可能であってもよい。
【００６７】
RFリソース218は、ワイヤレス通信デバイス200の関連付けられたSIM204a、204bのための送信/受信機能を実行する、少なくとも1つのトランシーバを含んでもよい。RFリソース218は、別個の送信および受信回路を含んでもよく、または送信機機能と受信機機能とを結合するトランシーバを含んでもよい。RFリソース218は、ワイヤレスアンテナ220に結合されてもよい。RFリソース218はまた、ベースバンドモデムプロセッサ216にも結合されてもよい。
【００６８】
いくつかの実施形態では、プロセッサ206、メモリ214、ベースバンドモデムプロセッサ216、およびRFリソース218は、システムオンチップとしてワイヤレス通信デバイス200内に含まれてもよい。いくつかの実施形態では、SIM204a、204b、およびそれらの対応するインターフェース202a、202bは、システムオンチップの外部にあってもよい。さらに、様々な入力デバイスおよび出力デバイスが、インターフェースまたはコントローラなど、システムオンチップ上の構成要素に結合されてもよい。ワイヤレス通信デバイス200において使用するのに好適な例示的なユーザ入力構成要素は、限定はしないが、キーパッド224、タッチスクリーンディスプレイ226、およびマイクロフォン212を含んでもよい。
【００６９】
いくつかの実施形態では、キーパッド224、タッチスクリーンディスプレイ226、マイクロフォン212、またはその組合せは、発信呼を開始するための要求を受信する機能を実行することができる。たとえば、タッチスクリーンディスプレイ226は、連絡先リストから連絡先の選択を受信すること、または電話番号を受信することができる。別の例では、タッチスクリーンディスプレイ226およびマイクロフォン212のいずれかまたは両方は、発信呼を開始するための要求を受信する機能を実行することができる。たとえば、タッチスクリーンディスプレイ226は、連絡先リストから連絡先の選択を受信すること、または電話番号を受信することができる。別の例として、発信呼を開始するための要求は、マイクロフォン212を介して受信された音声コマンドの形をとってもよい。ワイヤレス通信デバイス200における様々なソフトウェアモジュールと機能との間にそれらの間の通信を可能にするためにインターフェースが設けられてもよい。
【００７０】
ワイヤレス通信デバイス200は、RFリソース218およびベースバンドモデムプロセッサ216上で第1のサブスクリプションおよび第2のサブスクリプションのアクティビティを管理および/またはスケジュールするように構成されるスケジューリングモジュール230を含んでもよい。たとえば、スケジューリングモジュール230は、第2のサブスクリプションへの離調をスケジュールすること、離調の長さを決定すること、スケジューリング要求を送信するための最大カウントを決定すること、スケジューリング要求を送信すること、アップリンクデータRACHプロセスを開始することなどに関して本明細書で説明する、1つまたは複数のプロセスを実行するように構成されてもよい。
【００７１】
いくつかの実施形態では、スケジューリングモジュール230は、プロセッサ206とともに実装されてもよい。たとえば、スケジューリングモジュール230は、メモリ214内に記憶され、プロセッサ206によって実行されるソフトウェアアプリケーションとして実装されてもよい。したがって、そのような実施形態は、最小限の追加のハードウェアコストで実装されてもよい。しかしながら、他の実施形態は、スケジューリングモジュール230に関して本明細書で説明する動作を実行するために特別に構成される専用ハードウェアを用いて実装されるシステムおよびプロセスに関する。たとえば、スケジューリングモジュール230は、別個の(すなわち、プロセッサ206とは別個の)処理構成要素として実装されてもよい。スケジューリングモジュール230は、本明細書で説明する機能を実行するためにメモリ214、プロセッサ206、ベースバンドプロセッサ216、および/またはRFリソース218に結合されてもよい。
【００７２】
機能のためのハードウェアおよび/またはソフトウェアは、たとえばワイヤレス通信デバイス200の相手先商標製造会社(OEM)の構成の一部として、製造中にワイヤレス通信デバイス200内に組み込まれてもよい。さらなる実施形態では、そのようなハードウェアおよび/またはソフトウェアは、1つまたは複数のハードウェアデバイスおよび/またはソフトウェアアプリケーションをワイヤレス通信デバイス200上にインストールすることなどによって、製造後、ワイヤレス通信デバイス200に追加されてもよい。
【００７３】
他の実施形態では、ワイヤレス通信デバイス200は、とりわけ、追加のSIM、SIMインターフェース、追加のSIMに関連付けられた少なくとも別のRFリソース、および追加のモバイルネットワークに接続するための追加のアンテナを含んでもよい。
【００７４】
図3は、様々な実施形態によるスケジューリング要求スロットリング方法300の一例を示すプロセスフローチャート図である。図1〜図3を参照すると、スケジューリング要求スロットリング方法300は、ワイヤレス通信デバイス200のスケジューリングモジュール230および/またはプロセッサ206によって実行されてもよい。
【００７５】
ブロックB310で、スケジューリングモジュール230および/またはプロセッサ206は、RFリソース218を介して無線リソース制御(RRC)接続セットアッププロセス中に基地局130からデフォルトカウントを受信してもよい。詳細には、デフォルトカウントは、RRCメッセージのスケジューリング要求構成部分によって示されてもよい。ワイヤレス通信デバイス200は、デフォルトカウントを受信するために第1のサブスクリプションを介して通信中であってもよい。
【００７６】
ブロックB320で、スケジューリングモジュール230および/またはプロセッサ206は、第2のサブスクリプションへの離調が発生したかどうかを判定してもよい。場合によっては、RFリソース218は、第2のサブスクリプションのための様々な通信を実行するために第1のサブスクリプションから第2のサブスクリプションに定期的および選択的に離調されてもよい。たとえば、RFリソース218は、ページ監視、セル再選択、ネイバー測定などのために第2のサブスクリプションに離調されてもよい。離調が発生しなかったとの検出に応答して(B320:No)、スケジューリングモジュール230および/またはプロセッサ206は、ブロックB320で継続してもよい。
【００７７】
第2のサブスクリプションへの離調が発生したとの決定に応答して(B320:Yes)、スケジューリングモジュール230および/またはプロセッサ206は、ブロックB330で、離調時間間隔がしきい値を超過するかどうかを判定してもよい。いくつかの実施形態では、しきい値は静的であってもよい。しきい値の例は、限定はしないが、50ms、100ms、150ms、および200msを含んでもよい。他の実施形態では、しきい値は、8ms、10ms、および20msであってもよい（がこれに限定されない）。
【００７８】
他の実施形態では、しきい値は、第1のサブスクリプションおよび第2のサブスクリプションに関連付けられた分類のいずれか一方または両方に基づいてスケジューリングモジュール230および/またはプロセッサ206によって動的に決定されてもよい。第1のサブスクリプションのみの分類がしきい値を決定してもよい非限定的な例を用いて例示すると、第1のサブスクリプションが第1の分類(たとえば、LTE)である場合において、しきい値は、第1の値(たとえば、150ms)であると決定されてもよい。第2のサブスクリプションのみの分類がしきい値を決定してもよい別の非限定的な例を用いて例示すると、第2のサブスクリプションが第2の分類(たとえば、GSM(登録商標))である場合において、しきい値は、第2の値(たとえば、200ms)であると決定されてもよい。第1のサブスクリプションと第2のサブスクリプションの両方の分類がしきい値を決定してもよい別の非限定的な例を用いて例示すると、第1のサブスクリプションが第1の分類(たとえば、LTE)であり、第2のサブスクリプションが第2の分類(たとえば、GSM(登録商標))である場合において、しきい値は、第3の値(たとえば、100ms)であると決定されてもよい。
【００７９】
スケジューリングモジュール230および/またはプロセッサ206による、離調時間間隔がしきい値を超過するとの決定に応答して(B330:Yes)、スケジューリングモジュール230および/またはプロセッサ206は、ブロックB340で、少なくとも1つのスケジューリング要求を送信するためにスロットリングされたカウントを決定してもよい。スロットリングされたカウントは、離調時間間隔の長さに基づいて決定されてもよい。一般に、スロットリングされたカウントは、離調時間間隔の長さが増加するにつれて、減少される場合がある。特定の実施形態では、スロットリングされたカウントおよび離調時間間隔の長さは、反比例である。いくつかの実施形態では、離調時間間隔の長さの範囲が定義されてもよい。各範囲は、あるスロットリングされたカウントに関連付けられてもよい。非限定的な例を用いて例示すると、100msから120msの間に及ぶ離調時間間隔は、5のスロットリングされたカウントに対応してもよい(しきい値は100msであってもよい)。120msから160msの間である離調時間間隔は、4のスロットリングされたカウントに対応してもよい。160msから500msの間である離調時間間隔は、3のスロットリングされたカウントに対応してもよい。500msから1sの間である離調時間間隔は、2のスロットリングされたカウントに対応してもよい。1sの長さを超過する離調時間間隔は、1のスロットリングされたカウントに対応してもよい。
【００８０】
代替実施形態では、スロットリングされたカウントの値は、第1のサブスクリプションおよび第2のサブスクリプションに関連付けられた分類のいずれか一方または両方に基づいてスケジューリングモジュール230および/またはプロセッサ206によって動的に決定されてもよい。第1のサブスクリプションのみの分類が、スロットリングされたカウントを決定してもよい非限定的な例を用いて例示すると、第1のサブスクリプションが第1の分類(たとえば、LTE)であることに応答して、スロットリングされたカウントは第1の値(たとえば、10)であると決定されてもよい。第2のサブスクリプションのみの分類が、スロットリングされたカウントを決定してもよい別の非限定的な例を用いて例示すると、第2のサブスクリプションが第2の分類(たとえば、GSM(登録商標))であることに応答して、スロットリングされたカウントは第2の値(たとえば、5)であると決定されてもよい。第1のサブスクリプションと第2のサブスクリプションの両方の分類が、スロットリングされたカウントを決定してもよい別の非限定的な例を用いて例示すると、第1のサブスクリプションが第1の分類(たとえば、LTE)であり、第2のサブスクリプションが第2の分類(たとえば、GSM(登録商標))であることに応答して、スロットリングされたカウントは第3の値(たとえば、8)であると決定されてもよい。サブスクリプションの異なる分類は、異なるスロットリングされたカウントを生じてもよい。
【００８１】
いくつかの実施形態では、スロットリングされたカウントは、離調の長さ、ならびに第1のサブスクリプションまたは第2のサブスクリプションのうちの1つまたは複数に関連付けられた分類の両方に基づいて決定されてもよい。たとえば、離調の長さ、および第1のサブスクリプションまたは第2のサブスクリプションのうちの1つまたは複数に関連付けられた分類のうちの1つまたは複数を含むファクタの組合せが、スロットリングされたカウントの値を決定してもよい。
【００８２】
ブロックB350で、スケジューリングモジュール230および/またはプロセッサ206は、スケジューリング要求を送信するための最大カウントをスロットリングされたカウントに設定してもよい。ブロックB360で、スケジューリングモジュール230および/またはプロセッサ206は、RFリソース218を介して最大カウントである(デフォルトカウントではなく)スロットリングされたカウントまでのための少なくとも1つのスケジューリング要求を送信してもよい。
【００８３】
ブロックB390で、スケジューリングモジュール230および/またはプロセッサ206は、スロットリングされたカウント内で送信された少なくとも1つのスケジューリング要求に応答して、いずれかのアップリンク許可が受信されたかどうかを判定してもよい。アップリンク許可が(たとえば、第1の基地局130から)受信されていないとの決定に応答して(B390:No)、スケジューリングモジュール230および/またはプロセッサ206は、ブロックB395で第1の基地局130との接続性をリフレッシュするために第1の基地局130とともにアップリンクデータRACHプロセスを開始してもよい。
【００８４】
スケジューリングモジュール230および/またはプロセッサ206による、スロットリングされたカウント内で送信されたスケジューリング要求に応答して、少なくとも1つのアップリンク許可が受信されるとの決定に応答して(B390:Yes)、スケジューリングモジュール230および/またはプロセッサ206は、ブロックB370で、スケジューリング要求を送信するための最大カウントをデフォルトカウントに設定してもよい。スケジューリングモジュール230および/またはプロセッサ206は、次いで、ブロックB380で、RFリソース218を介してスロットリングされたカウントに加えて少なくとも1つの(追加の)スケジューリング要求を送信してもよい。詳細には、スケジューリングモジュール230および/またはプロセッサ206は、以前に送信されたスロットリングされたカウントを含むデフォルトカウントまでの合計送信試行を可能にしてもよい。すなわち、この時点(スロットリングされたカウントが送信された後)で送信可能にされた追加のスケジューリング要求の総数は、デフォルトカウント−スロットリングされたカウントに等しくてもよい。
【００８５】
スケジューリングモジュール230および/またはプロセッサ206による、離調時間間隔がしきい値を超過しないとの決定に応答して(B330:No)、スケジューリングモジュール230および/またはプロセッサ206は、ブロックB370で、スケジューリング要求を送信するための最大カウントをデフォルトカウントに設定してもよい。しきい値を超過することに失敗することは、接続が依然として生きており、アイドルではない可能性があることを示す場合がある。したがって、アップロードデータRACHプロセスは、この段階では必要でなくてもよい。スケジューリングモジュール230および/またはプロセッサ206は、次いで、ブロックB380で、RFリソース218を介してデフォルトカウントのためのスケジューリング要求を送信してもよい。
【００８６】
図4は、スケジューリング要求スロットリング方法(たとえば、スケジューリング要求スロットリング方法300)が、様々な実施形態に従って実装されるとき、経時的なRFリソースのアクティビティ400の一例を示す概略図である。図1〜図4を参照すると、アクティビティ400は、第1のサブスクリプションアクティビティ420と、第2のサブスクリプションアクティビティ430と、第1のサブスクリプションアクティビティ440とを含む経時的な(たとえば、RFリソース218のための)RFリソース使用量410を指す場合がある。
【００８７】
第1のサブスクリプションアクティビティ420が終了したことに応答して、スケジューリングモジュール230および/またはプロセッサ206は、第2のサブスクリプションアクティビティ430のためにRFリソース218を第2のサブスクリプションに同調させるように構成されてもよい。第2のサブスクリプションアクティビティは、離調時間間隔435の間に及んでもよい。離調時間間隔435の長さは、第2のサブスクリプションアクティビティ430が終了したことに応答して、しきい値が超過されたかどうかを判定するために使用されてもよい。第2のサブスクリプションアクティビティ430が定期的または循環的であってもよい特定の実施形態では、定期的アクティビティ(ページングなど)が事前に(スケジューリングモジュール230および/またはプロセッサ206によって)スケジュールされてもよいとすれば、第2のサブスクリプションアクティビティの長さは、スケジューリングモジュール230および/またはプロセッサ206によって、前もってすでに知られていてもよい。
【００８８】
第2のサブスクリプションアクティビティ430の終了に応答して、スケジューリングモジュール230および/またはプロセッサ206は、RFリソース218を第1のサブスクリプションアクティビティ440に従事させてもよい。アップリンク許可の実施に関して、スケジューリングモジュール230および/またはプロセッサ206は、スロットリングされた時間間隔445またはデフォルト時間間隔450の間に少なくとも1つのスケジューリング要求を送ってもよい。
【００８９】
スロットリングされた時間間隔445は、ブロックB340で決定されたスロットリングされたカウントに対応してもよい。RRCシグナリングメッセージの一部であるスケジューリング要求プローブは、たとえば10msまたは20msごとに送信されてもよい。スロットリングされた時間間隔445は、スロットリングされたカウントに正比例してもよい。スロットリングされた時間間隔445は、ブロックB395に続いて観測されてもよく、それに従ってアップリンクデータRACHプロセスが、スロットリングされた時間間隔445の終了に応答して開始されてもよい。
【００９０】
デフォルト時間間隔450は、ブロックB310で受信されたデフォルトカウントに対応してもよい。同様に、デフォルト時間間隔450は、デフォルトカウントに正比例してもよい。デフォルト時間間隔450は、ブロックB380に続いて観測されてもよく、それに従って離調時間間隔がしきい値を超過しない(B330:No)か、または少なくとも1つのアップリンク許可がスロットリングされたカウント内で受信された(B390:Yes)かのいずれかである。
【００９１】
図5は、様々な実施形態によるスケジューリング要求スロットリング方法500の一例を示すプロセスフローチャート図である。図1〜図5を参照すると、スケジューリング要求スロットリング方法500は、ワイヤレス通信デバイス200のスケジューリングモジュール230および/またはプロセッサ206によって実行されてもよい。ブロックB510〜B550の各々は、スケジューリング要求スロットリング方法300の1つまたは複数のブロックに対応してもよい。
【００９２】
ブロックB510で、スケジューリングモジュール230および/またはプロセッサ206は、離調時間間隔435の間に第1のサブスクリプションから第2のサブスクリプションに離調するようにRFリソース218を構成してもよい。
【００９３】
ブロック502で、スケジューリングモジュール230および/またはプロセッサ206は、離調時間間隔435がしきい値を超えるかどうかを判定してもよい。
【００９４】
ブロックB530で、スケジューリングモジュール230および/またはプロセッサ206は、離調時間間隔435がしきい値を超過したことに応答して、少なくとも1つのスケジューリング要求を送信するようにRFリソース218を構成してもよい。少なくとも1つのスケジューリング要求は、第1のサブスクリプションに関連付けられてもよい。少なくとも1つのスケジューリング要求は、スロットリングされた時間間隔445に対応する、スロットリングされたカウント内で送られてもよい。
【００９５】
離調時間間隔435の長さがしきい値を超過したことに失敗したことの検出に応答して、デフォルトカウントが最大カウントとして設定されてもよい。デフォルトカウント内で送られた少なくとも1つのスケジューリング要求はデフォルト時間間隔450までの間に送られてもよい。スロットリングされたカウントはデフォルトカウント未満であってもよい。スロットリングされた時間間隔445はデフォルト時間間隔450よりも短くてもよい。
【００９６】
ブロックB540で、スケジューリングモジュール230および/またはプロセッサ206は、スロットリングされたカウント内で送信された少なくとも1つのスケジューリング要求のいずれかに応答してアップリンク許可が受信されたかどうかを判定してもよい。
【００９７】
ブロックB550で、スケジューリングモジュール230および/またはプロセッサ206は、スロットリングされたカウント内、またはスロットリングされた時間間隔445内で送信された少なくとも1つのスケジューリング要求のいずれかに応答してアップリンク許可が受信されなかったことに応答して、アップリンクデータRACHプロセスを開始してもよい。
【００９８】
図6Aは、様々な実施形態によるスケジューリング要求スロットリング方法600aの一例を示すプロセスフローチャート図である。図1〜図6Aを参照すると、スケジューリング要求スロットリング方法600aは、ワイヤレス通信デバイス200のスケジューリングモジュール230および/またはプロセッサ206によって実行されてもよい。ブロックB610a〜B650aの各々は、スケジューリング要求スロットリング方法300および500の1つまたは複数のブロックに対応してもよい。
【００９９】
ブロックB610aで、スケジューリングモジュール230および/またはプロセッサ206は、離調時間間隔435(それにおいて、RFリソース218が第1のサブスクリプションから第2のサブスクリプションに離調される)がしきい値を超過すると判定するように構成されてもよい。
【０１００】
ブロックB620aで、スケジューリングモジュール230および/またはプロセッサ206は、離調時間間隔435の長さがしきい値を超過すると判定したことに応答して、(スロットリングされた時間間隔445内で)スロットリングされたカウントまでのための第1のサブスクリプションに関連付けられた少なくとも1つのスケジューリング要求を送信してもよい。
【０１０１】
ブロックB630aで、スケジューリングモジュール230および/またはプロセッサ206は、スロットリングされたカウント内で送信された少なくとも1つのスケジューリング要求のいずれかに応答してアップリンク許可が受信されたかどうかを判定してもよい。
【０１０２】
ブロックB640aで、スケジューリングモジュール230および/またはプロセッサ206は、スロットリングされたカウント内で送信された少なくとも1つのスケジューリング要求のいずれかに応答してアップリンク許可が受信されなかったことに応答して、第1のサブスクリプションのためのアップリンクデータRACHプロセスを開始してもよい。
【０１０３】
ブロックB650aで、スケジューリングモジュール230および/またはプロセッサ206は、スロットリングされたカウント内で送信された少なくとも1つのスケジューリング要求のいずれかに応答して、少なくとも1つのアップリンク許可が受信されるとき、スロットリングされたカウントに加えて少なくとも1つの追加のスケジューリング要求を送信するようにRFリソース218を構成してもよい。少なくとも1つの追加のスケジューリング要求の数と、スロットリングされたカウントとの和はデフォルトカウントを超過しない。すなわち、スケジューリング要求スロットリングの任意のインスタンスのための最大カウントはデフォルトカウントを超過しない。代替実施形態では、スロットリングされたカウントを超えるがデフォルトカウント内である任意のスケジューリング要求に応答して、少なくとも1つのさらなるアップリンク許可が受信されたとき、少なくとも1つの追加の送信が、デフォルトカウントを超えて許可されてもよい。
【０１０４】
図6Bは、様々な実施形態によるスケジューリング要求スロットリング方法600bの一例を示すプロセスフローチャート図である。図1〜図6Bを参照すると、スケジューリング要求スロットリング方法600bは、ワイヤレス通信デバイス200のスケジューリングモジュール230および/またはプロセッサ206によって実行されてもよい。ブロックB610b〜B640bの各々は、スケジューリング要求スロットリング方法300、500、および600aの1つまたは複数のブロックに対応してもよい。
【０１０５】
ブロックB610bで、スケジューリングモジュール230および/またはプロセッサ206は、RFリソース218が第2のサブスクリプションに関連付けられるように構成されてもよい離調時間間隔435の長さを決定してもよい。
【０１０６】
ブロックB620bで、スケジューリングモジュール230および/またはプロセッサ206は、離調時間間隔435の長さがしきい値を超過するかどうかを判定してもよい。
【０１０７】
ブロックB630bで、スケジューリングモジュール230および/またはプロセッサ206は、離調時間間隔435の長さがしきい値を超過したことに応答して、スロットリングされた時間間隔445のための少なくとも1つのスケジューリング要求を送信するようにRFリソース218を構成してもよい。少なくとも1つのスケジューリング要求は、離調時間間隔435の終了後に(たとえば、応答して)送信されてもよい。
【０１０８】
ブロックB640bで、スケジューリングモジュール230および/またはプロセッサ206は、離調時間間隔435の終了に応答して、およびしきい値を超過しない離調時間間隔435の長さに応答して、デフォルト時間間隔450の間に第1のサブスクリプションに関連付けられた少なくとも1つのスケジューリング要求を送信するようにRFリソース218を構成してもよい。スロットリングされた時間間隔445の長さは、デフォルト時間間隔450の長さよりも短い。
【０１０９】
様々な実施形態は、様々なワイヤレス通信デバイスのいずれかにおいて実装されてもよく、その一例が、ワイヤレス通信デバイス700として図7に示される。したがって、ワイヤレス通信デバイス700は、本明細書で説明するように図1〜図6Bのプロセスおよび/または装置を実装してもよい。
【０１１０】
図1〜図7を参照すると、ワイヤレス通信デバイス700は、タッチスクリーンコントローラ704および内部メモリ706に結合されるプロセッサ702を含んでもよい。プロセッサ702は、汎用または特定の処理タスクに指定された1つまたは複数のマルチコア集積回路であってもよい。メモリ706は、揮発性メモリまたは不揮発性メモリであってよく、またセキュアメモリおよび/もしくは暗号化メモリ、または非セキュアメモリおよび/もしくは非暗号化メモリ、またはそれらの任意の組合せであってもよい。タッチスクリーンコントローラ704およびプロセッサ702はまた、抵抗感知タッチスクリーン、容量性感知タッチスクリーン、赤外線感知タッチスクリーンなど、タッチスクリーンパネル712に結合されてもよい。追加として、ワイヤレス通信デバイス700のディスプレイはタッチスクリーン能力を有する必要がない。
【０１１１】
ワイヤレス通信デバイス700は、プロセッサ702および少なくとも1つのアンテナ710に結合され、セルラー通信を送り、受信するために構成される1つまたは複数のセルラーネットワークトランシーバ708a、708bを有してもよい。トランシーバ708a、708bおよびアンテナ710は、様々な実施形態方法を実装するために上述の回路とともに使用されてもよい。セルラーネットワークトランシーバ708a、708bは、RFリソース218であってもよい。アンテナ710は、アンテナ220であってもよい。ワイヤレス通信デバイス700は、トランシーバ708a、708bおよび/またはプロセッサ702に結合されるSIM-1 204aおよびSIM-2 204bに対応する2つ以上のSIMカード716a、716bを含んでもよい。ワイヤレス通信デバイス700は、少なくとも1つのセルラーネットワークを介する通信を可能にし、プロセッサ702に結合されるセルラーネットワークワイヤレスモデムチップ711(たとえば、ベースバンドモデムプロセッサ216)を含んでもよい。
【０１１２】
ワイヤレス通信デバイス700は、プロセッサ702に結合される周辺デバイス接続インターフェース718を含んでもよい。周辺デバイス接続インターフェース718は、1つのタイプの接続を受け入れるように単独で構成されてもよいか、あるいはUSB、FireWire、Thunderbolt、またはPCIeなどの共通または専用の様々なタイプの物理接続および通信接続を受け入れるように複合的に構成されてもよい。周辺デバイス接続インターフェース718はまた、同様に構成される周辺デバイス接続ポート(図示せず)に結合されてもよい。
【０１１３】
ワイヤレス通信デバイス700はまた、オーディオ出力を提供するためのスピーカー714を含んでもよい。ワイヤレス通信デバイス700はまた、本明細書で説明する構成要素のすべてまたは一部を含むためのプラスチック、金属、または材料の組合せから構成される筐体720をも含んでもよい。ワイヤレス通信デバイス700は、使い捨てバッテリーまたは充電式バッテリーなどのプロセッサ702に結合される電源722を含んでもよい。充電式バッテリーはまた、ワイヤレス通信デバイス700の外部のソースから充電電流を受けるために周辺デバイス接続ポート(図示せず)に結合されてもよい。ワイヤレス通信デバイス700はまた、ユーザ入力を受信するための物理的ボタン724を含んでもよい。ワイヤレス通信デバイス700はまた、ワイヤレス通信デバイス700をオンおよびオフするための電源ボタン725を含んでもよい。
【０１１４】
示し説明した様々な実施形態は、特許請求の範囲の様々な特徴を示すための単なる例として提供されている。しかしながら、いずれかの所与の実施形態に関して示し説明した特徴は関連する実施形態に必ずしも限定されるとは限らず、示されかつ説明される他の実施形態とともに使用されるか、またはそれらと組み合わされてもよい。さらに、特許請求の範囲は、いずれか1つの例示的な実施形態によって限定されるものではない。
【０１１５】
上記の方法の説明およびプロセスフロー図は、単に説明のための例として提供され、様々な実施形態のステップが提示された順序で実行されなければならないことを必要とするまたは暗示するものではない。当業者によって了解されるように、上記の実施形態におけるステップの順序は、任意の順序で実行されてもよい。「その後」、「次いで」、「次に」などの語は、ステップの順序を限定するものではなく、これらの語は単に、方法の説明を通じて読者を導くために使用される。さらに、たとえば冠詞"a"、"an"、または"the"を使用する単数形での請求項の要素へのいかなる言及も、その要素を単数形に限定するものとして解釈されるべきではない。
【０１１６】
本明細書で開示した実施形態に関して説明した様々な例示的な論理ブロック、モジュール、回路、およびアルゴリズムステップは、電子ハードウェア、コンピュータソフトウェア、または両方の組合せとして実装されてもよい。ハードウェアとソフトウェアのこの互換性を明確に示すために様々な例示的な構成要素、ブロック、モジュール、回路、およびステップが、概してそれらの機能に関して上記で説明された。そのような機能をハードウェアとして実装するか、ソフトウェアとして実装するかは、具体的な適用例および全体的なシステムに課された設計制約に依存する。当業者は、説明された機能を特定の適用例ごとに様々な方法で実装してもよいが、そのような実装形態の決定は、本発明の範囲からの逸脱を引き起こすものと解釈されるべきではない。
【０１１７】
本明細書で開示する実施形態に関して説明する様々な例示的な論理、論理ブロック、モジュール、および回路を実装するために使用されるハードウェアは、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本明細書で説明する機能を実行するように設計されたそれらの任意の組合せを用いて実装または実行されてもよい。汎用プロセッサは、マイクロプロセッサであってもよいが、代替として、プロセッサは、任意の従来のプロセッサ、コントローラ、マイクロコントローラ、またはステートマシンであってもよい。プロセッサはまた、コンピューティングデバイスの組合せ、たとえばDSPとマイクロプロセッサとの組合せ、複数のマイクロプロセッサ、DSPコアと連携した1つもしくは複数のマイクロプロセッサ、または任意の他のそのような構成として実装されてもよい。代替的に、いくつかのステップまたは方法は、所与の機能に固有の回路によって実行されてもよい。
【０１１８】
いくつかの例示的な実施形態では、説明した機能は、ハードウェア、ソフトウェア、ファームウェア、またはそれらの任意の組合せにおいて実装されてもよい。ソフトウェアにおいて実装される場合、機能は、非一時的コンピュータ可読記憶媒体または非一時的プロセッサ可読記憶媒体上に1つまたは複数の命令またはコードとして記憶されてもよい。本明細書で開示する方法またはアルゴリズムのステップは、非一時的コンピュータ可読記憶媒体または非一時的プロセッサ可読記憶媒体上に存在してもよいプロセッサ実行可能ソフトウェアモジュールにおいて具現化されてもよい。非一時的コンピュータ可読記憶媒体または非一時的プロセッサ可読記憶媒体は、コンピュータまたはプロセッサによってアクセスされてもよい任意の記憶媒体であってもよい。限定ではなく例として、そのような非一時的コンピュータ可読記憶媒体または非一時的プロセッサ可読記憶媒体は、RAM、ROM、EEPROM、フラッシュメモリ、CD-ROMもしくは他の光ディスクストレージ、磁気ディスクストレージもしくは他の磁気記憶デバイス、または命令もしくはデータ構造の形態で所望のプログラムコードを記憶するために使用されてもよく、コンピュータによってアクセスされてもよい任意の他の媒体を含んでもよい。本明細書で使用するディスク(disk)およびディスク(disc)は、コンパクトディスク(disc)(CD)、レーザーディスク(登録商標)(disc)、光ディスク(disc)、デジタル多用途ディスク(disc)(DVD)、フロッピー(登録商標)ディスク(disk)、およびblu-rayディスク(disc)を含み、ディスク(disk)は、通常、データを磁気的に再生するが、ディスク(disc)は、レーザーを用いてデータを光学的に再生する。上記の組合せも、非一時的コンピュータ可読媒体および非一時的プロセッサ可読媒体の範囲内に含まれる。さらに、方法またはアルゴリズムの動作は、コンピュータプログラム製品内に組み込まれてもよい非一時的プロセッサ可読記憶媒体および/または非一時的コンピュータ可読記憶媒体上のコードおよび/または命令の1つまたは任意の組合せもしくはセットとして存在してもよい。
【０１１９】
開示した実施形態の前述の説明は、いかなる当業者も本発明を作成または使用することができるように提供される。これらの実施形態に対する様々な修正は、当業者には容易に明らかであり、本明細書で定義された一般的な原理は、本発明の要旨または範囲から逸脱することなく、いくつかの実施形態に適用されてもよい。したがって、本発明は、本明細書に示す実施形態に限定されるものではなく、以下の特許請求の範囲、ならびに本明細書で開示する原理および新規の特徴と一致する最も広い範囲を与えられるべきである。
【符号の説明】
【０１２０】
100  通信システム
102  第1のモバイルネットワーク、モバイルネットワーク
104  第2のモバイルネットワーク、モバイルネットワーク
110、200、700  ワイヤレス通信デバイス
130  第1の基地局
132  第1のセルラー接続
134  ワイヤードまたはワイヤレス接続
140  第2の基地局
142  第2のセルラー接続
144  ワイヤードまたはワイヤレス接続
150  第1のサービングセル
160  第2のサービングセル
202a  第1のSIMインターフェース、インターフェース
202b  第2のSIMインターフェース、インターフェース
204a  第1の識別モジュールSIM-1、SIM、SIM-1
204b  第2の識別モジュールSIM-2、SIM、SIM-2
206、702  プロセッサ
208  コーダ/デコーダ(コーデック)、コーデック
210、714  スピーカー
212  マイクロフォン
214  メモリ
216  ベースバンドモデムプロセッサ
218  RFリソース
220  ワイヤレスアンテナ、アンテナ
224  キーパッド
226  タッチスクリーンディスプレイ
230  スケジューリングモジュール
400  アクティビティ
410  RFリソース使用量
420  第1のサブスクリプションアクティビティ
430  第2のサブスクリプションアクティビティ
435  離調時間間隔
440  第1のサブスクリプションアクティビティ
445  スロットリングされた時間間隔
450  デフォルト時間間隔
704  タッチスクリーンコントローラ
706  内部メモリ、メモリ
708a、708b  セルラーネットワークトランシーバ、トランシーバ
710  アンテナ
711  セルラーネットワークワイヤレスモデムチップ
712  タッチスクリーンパネル
716a、716b  SIMカード
718  周辺デバイス接続インターフェース
720  筐体
722  電源
724  物理的ボタン
725  電源ボタン
【図１】
2019506787.tif 000003
【図２】
2019506787.tif 000004
【図３】
2019506787.tif 000005
【図４】
2019506787.tif 000006
【図５】
2019506787.tif 000007
【図６Ａ】
2019506787.tif 000008
【図６Ｂ】
2019506787.tif 000009
【図７】
2019506787.tif 000010
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
第1のサブスクリプションと第2のサブスクリプションとを有するワイヤレス通信デバイスが、前記第1のサブスクリプションに関連付けられたアップリンク許可を要求するための方法であって、
離調時間間隔の間に前記第1のサブスクリプションから前記第2のサブスクリプションに離調するステップと、
前記離調時間間隔がしきい値を超過するかどうかを判定するステップと、
前記離調時間間隔が前記しきい値を超過したことに応答して、スロットリングされたカウントのための前記第1のサブスクリプションに関連付けられた少なくとも1つのスケジューリング要求を送信するステップであって、前記スロットリングされたカウントがデフォルトカウント未満である、ステップと、
前記スロットリングされたカウント内で送信された前記少なくとも1つのスケジューリング要求のいずれかに応答して、アップリンク許可が受信されたかどうかを判定するステップと、
前記アップリンク許可を受信しなかったことに応答して、アップリンクデータランダムアクセスチャネル(RACH)プロセスを開始するステップと
を含み、
前記スロットリングされたカウントが前記離調時間間隔の長さに基づいて調整される、方法。
【請求項２】
前記離調時間間隔が前記しきい値を超過しなかったことに応答して、前記デフォルトカウントのための前記第1のサブスクリプションに関連付けられた少なくとも1つのスケジューリング要求を送信するステップをさらに含む、請求項1に記載の方法。
【請求項３】
スロットリングされた時間間隔内で前記スロットリングされたカウントのために前記少なくとも1つのスケジューリング要求が送信され、
デフォルト時間間隔内で前記デフォルトカウントのために前記少なくとも1つのスケジューリング要求が送信され、
前記デフォルト時間間隔の長さが、前記スロットリングされた時間間隔の長さよりも長い、
請求項2に記載の方法。
【請求項４】
前記デフォルト時間間隔の前記長さが、前記離調時間間隔の長さ、前記第1のサブスクリプションに関連付けられた第1の分類、または前記第2のサブスクリプションに関連付けられた第2の分類のうちの1つまたは複数に基づいて決定され、
前記しきい値が、前記第1の分類または前記第2の分類のうちの1つまたは複数に基づいて決定される、
請求項3に記載の方法。
【請求項５】
無線リソース制御(RRC)接続セットアッププロセス中に基地局から前記デフォルトカウントを受信するステップをさらに含む、請求項1に記載の方法。
【請求項６】
前記スロットリングされたカウント内で前記少なくとも1つのスケジューリング要求のすべてが送信されたことと、前記少なくとも1つのスケジューリング要求に対応するアップリンク許可が受信されなかったとの決定とに応答して、前記アップリンクデータRACHプロセスが開始される、請求項1に記載の方法。
【請求項７】
前記スロットリングされたカウント内で送信された前記少なくとも1つのスケジューリング要求のうちの1つまたは複数に応答して少なくとも1つのアップリンク許可が受信されたことに応答して、最大カウントまで前記少なくとも1つのスケジューリング要求を送信するステップをさらに含む、請求項1に記載の方法。
【請求項８】
前記離調時間間隔の長さに少なくとも部分的に基づいて前記スロットリングされたカウントを決定するステップをさらに含む、請求項1に記載の方法。
【請求項９】
前記スロットリングされたカウントが前記離調時間間隔の前記長さに反比例する、請求項8に記載の方法。
【請求項１０】
前記第1のサブスクリプションに関連付けられた第1の分類、または前記第2のサブスクリプションに関連付けられた第2の分類のうちの少なくとも1つに少なくとも部分的に基づいて前記スロットリングされたカウントを決定するステップをさらに含む、請求項1に記載の方法。
【請求項１１】
ワイヤレス通信デバイスであって、
少なくとも1つの無線周波数(RF)リソースと、
前記少なくとも1つのRFリソースに結合されるとともに、第1のサブスクリプションに関連付けられた第1の加入者識別モジュール(SIM)に、かつ第2のサブスクリプションに関連付けられた第2のSIMに接続するように構成され、かつプロセッサ実行可能命令で構成されるプロセッサであって、前記プロセッサ実行可能命令が、
前記少なくとも1つのRFリソースを離調時間間隔の間に前記第1のサブスクリプションから前記第2のサブスクリプションに離調することと、
前記離調時間間隔がしきい値を超過するかどうかを判定することと、
前記離調時間間隔が前記しきい値を超過したことに応答して、前記少なくとも1つのRFリソースを介してスロットリングされたカウントのための前記第1のサブスクリプションに関連付けられた少なくとも1つのスケジューリング要求を送信することであって、前記スロットリングされたカウントがデフォルトカウント未満である、送信することと、
前記スロットリングされたカウント内で送信された前記少なくとも1つのスケジューリング要求のいずれかに応答して、アップリンク許可が受信されたかどうかを判定することと、
前記アップリンク許可を受信しなかったことに応答して、アップリンクデータランダムアクセスチャネル(RACH)プロセスを開始することと
を行うためのものである、プロセッサと
を備え、
前記スロットリングされたカウントが前記離調時間間隔の長さに基づいて調整される、ワイヤレス通信デバイス。
【請求項１２】
前記プロセッサが、前記離調時間間隔が前記しきい値を超過しなかったことに応答して、前記デフォルトカウントのために前記少なくとも1つのRFリソースを介して前記第1のサブスクリプションに関連付けられた少なくとも1つのスケジューリング要求を送信するようにさらに構成される、請求項11に記載のワイヤレス通信デバイス。
【請求項１３】
スロットリングされた時間間隔内で前記スロットリングされたカウントのために前記少なくとも1つのRFリソースを介して前記少なくとも1つのスケジューリング要求が送信され、
デフォルト時間間隔内で前記デフォルトカウントのために前記少なくとも1つのRFリソースを介して前記少なくとも1つのスケジューリング要求が送信され、
前記デフォルト時間間隔の長さが、前記スロットリングされた時間間隔の長さよりも長い、請求項12に記載のワイヤレス通信デバイス。
【請求項１４】
前記プロセッサが、
前記離調時間間隔の長さ、前記第1のサブスクリプションに関連付けられた第1の分類、または前記第2のサブスクリプションに関連付けられた第2の分類のうちの1つまたは複数に基づいて前記デフォルト時間間隔の前記長さを決定することと、
前記第1の分類または前記第2の分類のうちの1つまたは複数に基づいて前記しきい値を決定することと
を行うようにさらに構成される、請求項13に記載のワイヤレス通信デバイス。
【請求項１５】
前記プロセッサが、前記少なくとも1つのRFリソースを介して無線リソース制御(RRC)接続セットアッププロセス中に基地局から前記デフォルトカウントを受信するようにさらに構成される、請求項11に記載のワイヤレス通信デバイス。
【請求項１６】
前記プロセッサが、前記スロットリングされたカウント内で前記少なくとも1つのスケジューリング要求のすべてが送信されたことと、前記少なくとも1つのスケジューリング要求に対応するアップリンク許可が受信されなかったとの決定とに応答して、前記アップリンクデータRACHプロセスを開始するようにさらに構成される、請求項11に記載のワイヤレス通信デバイス。
【請求項１７】
前記プロセッサが、前記スロットリングされたカウント内で送信された前記少なくとも1つのスケジューリング要求のうちの1つまたは複数に応答して少なくとも1つのアップリンク許可が受信されたことに応答して、最大カウントまで前記少なくとも1つのスケジューリング要求を送信するようにさらに構成される、請求項11に記載のワイヤレス通信デバイス。
【請求項１８】
前記プロセッサが、前記離調時間間隔の長さに少なくとも部分的に基づいて前記スロットリングされたカウントを決定するようにさらに構成される、請求項11に記載のワイヤレス通信デバイス。
【請求項１９】
前記スロットリングされたカウントが前記離調時間間隔の前記長さに反比例する、請求項18に記載のワイヤレス通信デバイス。
【請求項２０】
前記プロセッサが、前記第1のサブスクリプションに関連付けられた第1の分類、または前記第2のサブスクリプションに関連付けられた第2の分類のうちの少なくとも1つに少なくとも部分的に基づいて前記スロットリングされたカウントを決定するようにさらに構成される、請求項11に記載のワイヤレス通信デバイス。
【請求項２１】
第1のサブスクリプションと第2のサブスクリプションとを有するワイヤレス通信デバイスが、少なくとも1つの無線周波数(RF)リソースを使用して前記第1のサブスクリプションに関連付けられたアップリンク許可を要求するための方法であって、
前記少なくとも1つのRFリソースが、前記第1のサブスクリプションから前記第2のサブスクリプションに離調される離調時間間隔がしきい値を超過するかどうかを判定するステップと、
前記離調時間間隔が前記しきい値を超過したことに応答して、スロットリングされたカウントまでのための前記第1のサブスクリプションに関連付けられた少なくとも1つのスケジューリング要求を送信するステップと、
前記スロットリングされたカウント内で送信された前記少なくとも1つのスケジューリング要求のいずれかに応答して、アップリンク許可が受信されたかどうかを判定するステップと、
前記スロットリングされたカウント内で送信された前記少なくとも1つのスケジューリング要求のいずれかに応答してアップリンク許可を受信しなかったことに応答して、前記第1のサブスクリプションのためのアップリンクデータランダムアクセスチャネル(RACH)プロセスを開始するステップと、
前記スロットリングされたカウント内で送信された前記少なくとも1つのスケジューリング要求のいずれかに応答して少なくとも1つのアップリンク許可が受信されたことに応答して、前記スロットリングされたカウントに加えて少なくとも1つの追加のスケジューリング要求を送信するステップと
を含み、
前記スロットリングされたカウントが前記離調時間間隔の長さに基づいて調整される、方法。
【請求項２２】
前記少なくとも1つの追加のスケジューリング要求の数と前記スロットリングされたカウントとの和が、デフォルトカウントを超過しない、請求項21に記載の方法。
【請求項２３】
無線リソース制御(RRC)接続セットアッププロセス中に前記第1のサブスクリプションに関連付けられた基地局から前記デフォルトカウントが受信される、請求項22に記載の方法。
【請求項２４】
前記離調時間間隔が前記しきい値を超過しなかったことに応答して、前記デフォルトカウントまでのための前記第1のサブスクリプションに関連付けられた少なくとも1つのスケジューリング要求を送信するステップをさらに含む、請求項22に記載の方法。
【請求項２５】
前記スロットリングされたカウントが前記離調時間間隔の長さに基づいて決定される、請求項21に記載の方法。
【請求項２６】
第1のサブスクリプションと第2のサブスクリプションとを有するワイヤレス通信デバイスが、少なくとも1つの無線周波数(RF)リソースを使用して前記第1のサブスクリプションに関連付けられた基地局から前記第1のサブスクリプションに関連付けられたアップリンク許可を要求するための方法であって、
前記少なくとも1つのRFリソースが、前記第2のサブスクリプションに関連付けられるように構成される離調時間間隔の長さを決定するステップと、
前記離調時間間隔の前記長さがしきい値を超過するかどうかを判定するステップと、
前記しきい値を超過する前記離調時間間隔の前記長さに応答して、スロットリングされた時間間隔のために前記離調時間間隔が終了した後、前記第1のサブスクリプションに関連付けられた少なくとも1つのスケジューリング要求を送信するステップと、
前記しきい値を超過しない前記離調時間間隔の前記長さに応答して、デフォルト時間間隔のために前記離調時間間隔が終了した後、前記第1のサブスクリプションに関連付けられた少なくとも1つのスケジューリング要求を送信するステップと
を含み、
前記スロットリングされた時間間隔の長さが、前記デフォルト時間間隔の長さよりも短い、方法。
【請求項２７】
前記スロットリングされた時間間隔が、前記離調時間間隔に基づいて決定される、請求項26に記載の方法。
【請求項２８】
前記デフォルト時間間隔が、無線リソース制御(RRC)接続セットアッププロセス中に前記基地局から受信されたデフォルトカウントに対応する、請求項26に記載の方法。
【請求項２９】
前記スロットリングされた時間間隔内で送信された前記少なくとも1つのスケジューリング要求のいずれかに応答して少なくとも1つのアップリンク許可が受信されたことに応答して、前記スロットリングされた時間間隔後、少なくとも1つの追加のスケジューリング要求を送信するステップをさらに含む、請求項26に記載の方法。
【請求項３０】
前記しきい値が、前記第1のサブスクリプションおよび前記第2のサブスクリプションのうちの少なくとも1つの分類に基づいて動的に決定される、請求項1に記載の方法。
【請求項３１】
前記離調時間間隔の前記長さが増加するにつれて、前記スロットリングされたカウントが減少する、請求項1に記載の方法。
【請求項３２】
異なるスロットリングされたカウントが前記離調時間間隔の異なる長さに対応する、請求項1に記載の方法。
【国際調査報告】
2019506787.tif 000011
2019506787.tif 000012